(57)【要約】      （修正有）【課題】利用者が所持する携帯可能電子端末に、クーポン情報を表示させる情報配信システムを提供する。【解決手段】棚札装置と情報配信装置とを備える情報配信システムで、棚札装置は、携帯端末とデータ通信する第１通信部と、棚札コードを格納する第１記憶部と、第１通信部を通じて、携帯端末から棚札コードを取得する命令を受信する第１受信処理部と、第１受信処理部が受信した命令に従って、第１通信部を通じて、第１記憶部が格納する棚札コードを携帯端末へ送信する第１送信処理部と、を備える。情報配信装置は、携帯端末とデータ通信する第２通信部と、第２通信部を通じて、携帯端末から棚札コードを受信する第２受信処理部と、第２受信処理部が受信した棚札コードからクーポン情報を検索する検索部と、第２通信部を通じて、検索部が検索したクーポン情報を携帯端末へ送信する第２送信処理部と、を備える。【選択図】図２
2016038730.tif 000002
【特許請求の範囲】
【請求項１】
棚札装置と情報配信装置とを備える情報配信システムであって、
前記棚札装置は、
携帯端末とデータ通信する第１通信部と、
棚札コードを格納する第１記憶部と、
前記第１通信部を通じて、前記携帯端末から前記棚札コードを取得する命令を受信する第１受信処理部と、
前記第１受信処理部が受信した前記命令に従って、前記第１通信部を通じて、前記第１記憶部が格納する前記棚札コードを前記携帯端末へ送信する第１送信処理部と、
を備え、
前記情報配信装置は、
前記携帯端末とデータ通信する第２通信部と、
前記第２通信部を通じて、前記携帯端末から前記棚札コードを受信する第２受信処理部と、
前記第２受信処理部が受信した前記棚札コードからクーポン情報を検索する検索部と、
前記第２通信部を通じて、前記検索部が検索した前記クーポン情報を前記携帯端末へ送信する第２送信処理部と、
を備える、
情報配信システム。
【請求項２】
前記第１通信部は、ＮＦＣ通信を用いて前記携帯端末とデータ通信する、
前記請求項１に記載の情報配信システム。
【請求項３】
前記情報配信装置は、
棚札コードと商品コードとを対応付けて格納する商品コードテーブルを格納する第２記憶部と、
商品コードとクーポン情報とを対応付けて格納するクーポンテーブルを格納する第３記憶部と、
を備え、
前記検索部は、
前記第２記憶部が格納する前記商品コードテーブルに基づいて、前記第２受信処理部が受信した前記棚札コードに対応する商品コードを検索する商品コード検索部と、
前記第３記憶部が格納する前記クーポンテーブルに基づいて、前記商品コード検索部が検索した前記商品コードに対応するクーポン情報を検索するクーポン情報検索部と、
を備える、
前記請求項１又は２に記載の情報配信システム。
【請求項４】
前記クーポン情報は、前記棚札装置が設置される商品の割引情報である、
前記請求項１乃至３の何れか１項に記載の情報配信システム。
【請求項５】
棚札装置と情報配信装置とを制御する情報配信方法であって、
前記棚札装置で、携帯端末とデータ通信する第１通信部を通じて、前記携帯端末から棚札コードを取得する命令を受信し、
前記棚札装置で、受信された前記命令に従って、前記第１通信部を通じて、第１記憶部が格納する前記棚札コードを前記携帯端末へ送信し、
前記情報配信装置で、前記携帯端末とデータ通信する第２通信部を通じて、前記携帯端末から前記棚札コードを受信し、
前記情報配信装置で、受信された前記棚札コードからクーポン情報を検索し、
前記情報配信装置で、前記第２通信部を通じて、検索された前記クーポン情報を前記携帯端末へ送信すること、
を備える情報配信方法。
【発明の詳細な説明】
【技術分野】
【０００１】
本発明の実施形態は、情報配信システム及び情報配信方法に関する。
【背景技術】
【０００２】
近年、情報配信装置から値段などの情報を棚札装置へ配信し、棚札装置が値段などを表示する情報配信システムを設置した店舗が多くなっている。しかしながら、情報配信システムを設置した店舗であっても、紙のちらしや店頭広告などで商品の販売を促進していることが多い。紙のちらしや店頭広告などは手間やコストがかかるため、情報配信システムを用いて効率良く販売促進が行えるものが要望されている。
【先行技術文献】
【特許文献】
【０００３】
【特許文献１】特表２００９−５０１９８７
【発明の概要】
【発明が解決しようとする課題】
【０００４】
上記の課題を解決するために、利用者が所持する携帯可能電子端末にクーポン情報を表示させることができる情報配信システム及び情報配信方法を提供する。
【課題を解決するための手段】
【０００５】
実施形態によれば、情報配信システムは、棚札装置と情報配信装置とを備える。前記棚札装置は、第１通信部と、第１記憶部と、第１受信処理部と、第１送信処理部と、を備える。第１通信部は、携帯端末とデータ通信する。第１記憶部は、棚札コードを格納する。第１受信処理部は、前記第１通信部を通じて、前記携帯端末から前記棚札コードを取得する命令を受信する。第１送信処理部は、前記第１受信処理部が受信した前記命令に従って、前記第１通信部を通じて、前記第１記憶部が格納する前記棚札コードを前記携帯端末へ送信する。前記情報配信装置は、第２通信部と、第２受信処理部と、検索部と、第２送信処理部と、を備える。第２通信部は、前記携帯端末とデータ通信する。第２受信処理部は、前記第２通信部を通じて、前記携帯端末から前記棚札コードを受信する。検索部は、前記第２受信処理部が受信した前記棚札コードからクーポン情報を検索する。第２送信処理部は、前記第２通信部を通じて、前記検索部が検索した前記クーポン情報を前記携帯端末へ送信する。
【図面の簡単な説明】
【０００６】
【図１】図１は、実施形態に係る情報配信システムの構成例を示すブロック図である。
【図２】図２は、実施形態に係る情報配信システムの動作例を示すシーケンス図である。
【発明を実施するための形態】
【０００７】
以下、実施の形態について図面を用いて説明する。  
図１は本実施形態に係る情報配信システム１００のブロック図である。  
情報配信システム１００は、例えば食料品店又は家電量販店などの販売店で販売される商品に関するクーポン情報を利用者に提供する。図１が示すように、情報配信システム１００は、棚札装置１０、ルータ２０、無線アクセスポイント２１、棚札管理装置２２、無線中継器２３、携帯端末３０および情報配信装置４０などを備える。棚札装置１０は、情報配信システム１００を設置する販売店が取り扱う商品などに応じて、複数個あってもよい。ここでは、図１においては１つの棚札装置１０を示している。
【０００８】
棚札装置１０は、商品の値段などを表示するため、商品の近傍に設置される。たとえば、棚札装置１０は、販売店の陳列棚に陳列される複数の商品のそれぞれに対応するように、陳列棚などに取り付けられる。棚札装置１０は、陳列棚に陳列される商品の値段を示す棚札画像を表示する。また、棚札装置１０は、棚札装置１０をユニークに特定する棚札コードを他の装置へ無線送信することができる。
【０００９】
図１が示すように、棚札装置１０は、棚札コントローラ１１、通信デバイス１２、近距離通信部１３、メモリ１４、表示デバイス１５および伝送システム１６などを備える。  
棚札コントローラ１１は、ＣＰＵ（central processing unit）、ＲＯＭ（read-only memory）およびＲＡＭ（random-access memory）などから構成される。棚札コントローラ１１は、棚札装置１０としての所期の機能を実現するべく各部を制御する。
【００１０】
通信デバイス１２は、無線中継器２３と無線通信を行うためのインターフェースである。通信デバイス１２は、棚札コントローラ１１と棚札管理装置２２とのデータ通信を可能とする。通信デバイス１２は、例えばIEEE802.15.4に準拠したデバイスなどである。
【００１１】
近距離通信部１３（第１通信部）は、棚札装置１０に近接された携帯端末３０とデータ通信を行うためのインターフェースである。近距離通信部１３は、たとえば、携帯端末３０と数センチ程度の近距離で無線によりデータ通信を行う。たとえば、近距離通信部１３は、国際標準規格として認証されたＮＦＣ（Near Field Communication）の通信規格に準ずる無線通信（ＮＦＣ通信）により、携帯端末３０とデータ通信を行う。なお、近距離通信部１３は、携帯端末３０と物理的に接触してデータ通信を行うインターフェースであってもよい。
【００１２】
メモリ１４は、不揮発性のメモリである。メモリ１４は、複数の棚札装置１０の個々を識別可能に定められたうちの１つの棚札コードを格納する記憶領域１４ａ（第１記憶部）などを備える。メモリ１４は、棚札装置１０の製造時又は出荷時などにおいて、記憶領域１４ａに棚札コードを格納される。また、メモリ１４は、記憶領域１４ａ内の棚札コードを棚札管理装置２２などの外部装置によって適宜更新されてもよい。
【００１３】
表示デバイス１５は、棚札コントローラ１１の制御に基づいて、棚札画像を表示する。表示デバイス１５は、棚札コントローラ１１の制御に基づいて、表示内容を変更することができる。表示デバイス１５は、例えば電子ペーパー又は液晶パネルなどである。
【００１４】
伝送システム１６は、棚札コントローラ１１、通信デバイス１２、近距離通信部１３、メモリ１４および表示デバイス１５の間でデータを伝送する。伝送システム１６は、システムバスなどの各種のバスと、これらのバスと各部とを接続する各種のインターフェース回路とを含む周知のものであって良い。
【００１５】
棚札コントローラ１１は、携帯端末３０からの命令に従って、近距離通信部１３を通じて棚札コードを送信する機能を有する。たとえば、棚札コントローラ１１は、近距離通信部１３を通じて、携帯端末から棚札コードを取得する命令を受信する（第１受信処理部に対応）。棚札コントローラ１１は、当該命令を受信すると、メモリ１４内の記憶領域１４ａから棚札コードを取得する。棚札コントローラ１１は、近距離通信部１３を通じて、記憶領域１４ａが格納する棚札コードを携帯端末へ送信する（第１送信処理部に対応）。
【００１６】
ルータ２０は、情報配信システム１００内にネットワークを形成する。ルータ２０は、無線又は有線で、情報配信装置４０、無線アクセスポイント２１、及び、棚札管理装置２２などと通信する。ルータ２０は、ある装置から受信されたデータを、他の装置へ送信する。たとえば、ルータ２０は、無線アクセスポイント２１から受信されたデータを情報配信装置４０へ送信する。ルータ２０は、たとえば、無線又は有線ＬＡＮを構築する
無線アクセスポイント２１は、無線で携帯端末３０と通信する。無線アクセスポイント２１は、たとえば、ｗｉｆｉ通信などを用いて携帯端末３０と通信する。無線アクセスポイント２１は、携帯端末３０から受信されたデータをルータ２０へ送信し、又は、情報配信装置４０から受信されたデータを携帯端末３０へ送信する。
【００１７】
棚札管理装置２２は、販売店の事務室などに設置される。棚札管理装置２２は、無線中継器２３を介して、複数の棚札装置１０のそれぞれと無線通信することができる。棚札管理装置２２は、無線中継器２３を通じて各棚札装置１０と無線通信することで、各棚札装置１０を管理する。具体的には棚札管理装置２２は、棚札コードと、商品の個々を識別可能に定められた商品コードとの関連付けを管理する。棚札管理装置２２は、この関連付けが変更された場合に、関連づけが変更された棚札コードで識別される棚札装置１０で表示する棚札画像を、新たに関連付けられる商品コードで識別される商品の値段を表示する棚札画像に変更する。なお、棚札管理装置２２は、後述する商品コードテーブルを参照してもよい。
【００１８】
無線中継器２３は、棚札管理装置２２が棚札装置１０へ送信するデータを中継する。無線中継器２３は、無線通信にて各棚札装置１０と通信する。無線中継器２３は、たとえば、無線ＬＡＮ又は近距離無線通信などを用いて棚札装置１０と通信する。また、無線中継器２３は、棚札管理装置２２と無線又は有線で通信する。
【００１９】
携帯端末３０は、情報配信システム１００が設置される販売店の利用者が所持する端末である。
【００２０】
図１が示すように、携帯端末３０は、ＣＰＵ３１、ＲＯＭ３２、ＲＡＭ３３、不揮発性メモリ３４、近距離通信部３５、タッチパネル３６、表示部３７、通信デバイス３８および伝送システム３９などを備える。伝送システム３９は、ＣＰＵ３１、ＲＯＭ３２、ＲＡＭ３３、不揮発性メモリ３４、近距離通信部３５、タッチパネル３６および通信デバイス３８の間でデータを伝送する。伝送システム３９は、システムバスなどの各種のバスと、これらのバスと各部とを接続する各種のインターフェース回路とを含む周知のものであって良い。
【００２１】
ＣＰＵ３１は、携帯端末３０の各部を統括的に制御する。ＣＰＵ３１は、ＲＯＭ３２又は不揮発性メモリ３４に記憶されたオペレーティングシステム、及び／又は、ＲＯＭ３２または不揮発性メモリ３４に記憶されたアプリケーションプログラムに基づいて、携帯端末３０としての所期の機能を実現するための制御処理を実行する。上記の所期の機能の一部は、例えば既存のスマートフォンが備える周知の機能であって良い。また上記の所期の機能の一部は、後述する制御処理により実現される機能である。
【００２２】
ＲＯＭ３２は、予め制御用のプログラム及び制御データなどが記憶された不揮発性のメモリである。ＲＯＭ３２に記憶される制御プログラム及び制御データは、予め携帯端末３０の仕様に応じて組み込まれる。ＲＯＭ３２は、たとえば、携帯端末３０の回路基板を制御するプログラム（例えば、ＢＩＯＳ）などを格納している。
【００２３】
ＲＡＭ３３は、揮発性のメモリである。ＲＡＭ３３は、ＣＰＵ３１の処理中のデータなどを一時的に格納する。ＲＡＭ３３は、ＣＰＵ３１からの命令に基づき種々のアプリケーションプログラムを格納している。また、ＲＡＭ３３は、アプリケーションプログラムの実行に必要なデータ及びアプリケーションプログラムの実行結果などを格納してもよい。
【００２４】
不揮発性メモリ３４は、データの書き込み及び書き換えが可能な不揮発性のメモリである。不揮発性メモリ３４は、例えば、ハードディスク、ＳＳＤ、ＥＥＰＲＯＭ又はフラッシュメモリなどにより構成される。不揮発性メモリ３４は、携帯端末３０の運用用途に応じて制御プログラム、アプリケーション、及び種々のデータを格納する。また、不揮発性メモリ３４は、ＣＰＵ３１での処理によって生成されたデータを保存する。
【００２５】
近距離通信部３５は、棚札装置１０とデータ通信を行うインターフェースである。近距離通信部３５は、携帯端末３０が棚札装置１０に近接された際（たとえば、数センチ）に、棚札装置１０と無線でデータ通信を行う。即ち、ＣＰＵ３１は、近距離通信部３５を通じて、棚札装置１０とデータ通信を行う。たとえば、近距離通信部３５は、ＮＦＣ通信を用いて、棚札装置１０とデータ通信を行う。なお、近距離通信部３５は、棚札装置１０と物理的に接触してデータ通信を行うインターフェースであってもよい。
【００２６】
タッチパネル３６は、利用者が各種の操作を入力する入力装置である。タッチパネル３６は、利用者が表面をタッチすることで操作の入力を受け付ける。
【００２７】
表示部３７は、ＣＰＵ３１の制御により種々の情報を表示する表示装置である。ディスプレイ１７は、たとえば、液晶モニタなどである。
【００２８】
表示部３７は、ＧＵＩ画面などの任意の画面を表示する。タッチパネル３６は、表示部３７の表示面に重ねて配置されている。タッチパネル３６は、表示部３７の表示面へのユーザのタッチ位置を検出し、その位置情報をＣＰＵ３１へと送信する。  
なお、携帯端末３０は、タッチパネル３６の代わりに又はタッチパネル３６に追加してキーボード又はテンキーなどの他の操作部を備えてもよい。
【００２９】
通信デバイス３８は、無線アクセスポイント２１と無線で通信するためのインターフェースである。通信デバイス３８は、たとえば、ｗｉｆｉ通信を行うインターフェースである。通信デバイス３８は、無線アクセスポイント２１を通じて情報配信装置４０とデータを送受信することができる。
【００３０】
携帯端末３０は、たとえば、スマートフォンやタブレット端末などのような、アプリケーションプログラムを任意にインストール可能なデバイスである。携帯端末３０は、不揮発性メモリ３４に、携帯端末３０の販売者あるいは利用者によって、制御プログラムをインストールされることで、各種の機能を実現する。制御プログラムは、たとえば、磁気ディスク、光磁気ディスク、光ディスク、半導体メモリなどのようなリムーバブルな記録媒体に記録して、あるいはネットワークを介して販売者あるいは使用者へと配布される。なお、制御プログラムは、ＲＯＭ３２に記憶されていても良い。  
携帯端末３０は、所定の制御プログラムをインストールされることで、以下の機能を実現する。
【００３１】
ＣＰＵ３１は、棚札装置１０から棚札コードを取得する機能を有する。たとえば、ＣＰＵ３１は、近距離通信部３５を通じて棚札コードを取得する命令を棚札装置１０へ送信する。その後、ＣＰＵ３１は、近距離通信部３５を通じて、棚札装置１０が送信する棚札コードを受信する。
【００３２】
また、ＣＰＵ３１は、通信デバイス３８を通じて、棚札コードを情報配信装置４０へ送信する機能を有する。即ち、ＣＰＵ３１は、通信デバイス３８を通じて、情報配信装置４０に届くように棚札コードを無線アクセスポイント２１へ送信する。
【００３３】
また、ＣＰＵ３１は、情報配信装置４０から受信されたクーポン情報を表示部３７に表示する機能を有する。即ち、ＣＰＵ３１は、ルータ２０及び無線アクセスポイント２１を通じて、情報配信装置４０からクーポン情報を受信し、受信されたクーポン情報に基づいて表示部にクーポン情報を示すクーポン画面を表示する。
【００３４】
情報配信装置４０は、クーポン情報を携帯端末３０に配信する処理などを行う。  
図１が示すように、情報配信装置４０は、ＣＰＵ４１、ＲＯＭ４２、ＲＡＭ４３、不揮発性メモリ４４、通信デバイス４５および伝送システム４６などを含む。伝送システム４６は、ＣＰＵ４１、ＲＯＭ４２、ＲＡＭ４３、不揮発性メモリ４４および通信デバイス４５の間でデータを伝送する。伝送システム４６は、システムバスなどの各種のバスと、これらのバスと各部とを接続する各種のインターフェース回路とを含む周知のものであって良い。
【００３５】
ＣＰＵ４１は、情報配信装置４０の各部を統括的に制御する。ＣＰＵ４１は、ＲＯＭ４２に記憶されたオペレーティングシステムや、ＲＯＭ４２または不揮発性メモリ４４に記憶されたアプリケーションプログラムに基づいて、情報配信装置４０としての所期の機能を実現するための制御処理を実行する。
【００３６】
ＲＯＭ４２は、予め制御用のプログラム及び制御データなどが記憶された不揮発性のメモリである。ＲＯＭ４２に記憶される制御プログラム及び制御データは、予め情報配信装置４０の仕様に応じて組み込まれる。ＲＯＭ４２は、たとえば、情報配信装置４０の回路基板を制御するプログラム（例えば、ＢＩＯＳ）などを格納している。
【００３７】
ＲＡＭ４３は、揮発性のメモリである。ＲＡＭ４３は、ＣＰＵ４１の処理中のデータなどを一時的に格納する。ＲＡＭ４３は、ＣＰＵ４１からの命令に基づき種々のアプリケーションプログラムを格納している。また、ＲＡＭ４３は、アプリケーションプログラムの実行に必要なデータ及びアプリケーションプログラムの実行結果などを格納してもよい。
【００３８】
不揮発性メモリ４４は、データの書き込み及び書き換えが可能な不揮発性のメモリである。不揮発性メモリ４４は、例えば、ハードディスク、ＳＳＤ、ＥＥＰＲＯＭ又はフラッシュメモリなどにより構成される。不揮発性メモリ４４は、情報配信装置４０の運用用途に応じて制御プログラム、アプリケーション、及び種々のデータを格納する。また、不揮発性メモリ４４は、ＣＰＵ４１での処理によって生成されたデータを保存する。  
不揮発性メモリ４４は、商品コードテーブルを格納する記憶領域４４ａ（第２記憶部）、及び、クーポンテーブルを格納する記憶領域４４ｂ（第３記憶部）などを備える。
【００３９】
商品コードテーブルは、棚札コードと、棚札コードが示す棚札装置１０が設置される商品を示す商品コードとを対応付けて格納する。即ち、商品コードテーブルは、棚札装置１０がどの商品の情報を示すために利用されているかを示す。商品コードテーブルは、販売店が棚札装置１０を設置する際に、オペレータなどによって、記憶領域４４ａに格納されてもよい。また、商品コードテーブルは、棚札装置１０が設置される商品が変わる度に、オペレータなどによって、更新されてもよい。
【００４０】
クーポンテーブルは、商品コードと、商品コードの商品に関連するクーポン情報とを対応付けて格納する。即ち、クーポンテーブルは、商品に設定されたクーポン情報を示す。クーポン情報は、棚札装置１０が設置される商品の割引情報である。クーポン情報は、たとえば、商品の割引率、又は、値引き金額等を示す。また、クーポン情報は、特定の他の商品と同時購入する場合に商品を割引又は値引きすることを示す情報であってもよい。また、クーポン情報は、商品を購入した際に追加的に物品又はサービスなどが付属することを示す情報であってもよい。クーポン情報の構成は、特定の構成に限定されるものではない。
【００４１】
通信デバイス４５（第２通信部）は、ルータ２０と通信するためのインターフェースである。即ち、通信デバイス４５は、ルータ２０を通じて、携帯端末３０とデータ通信する。通信デバイス４５は、たとえば、イーサネット（登録商標）通信を用いてルータ２０と通信を行うインターフェースである。通信デバイス４５は、無線でルータ２０と通信してもよい。なお、通信デバイス４５は、無線アクセスポイント２１と無線で通信するインターフェースであってもよい。
【００４２】
ＣＰＵ４１は、通信デバイス３８を通じて、携帯端末３０から棚札コードを受信する機能を有する（第２受信処理部に対応）。  
また、ＣＰＵ４１は、受信された棚札コードからクーポン情報を検索する機能を有する（検索部に対応）。たとえば、ＣＰＵ４１は、記憶領域４４ａが格納する商品コードテーブルに基づいて、受信された棚札コードに対応する商品コードを検索する（商品コード検索部に対応）。ＣＰＵ４１は、記憶領域４４ｂが格納するクーポンテーブルに基づいて、検索された商品コードに対応するクーポン情報を検索する（クーポン情報検索部に対応）。  
また、ＣＰＵ４１は、通信デバイス３８を通じて、クーポン情報を携帯端末３０へ送信する機能を有する（第２送信処理部に対応）。  
棚札装置１０、携帯端末３０及び情報配信装置４０は、必要に応じて適宜他の構成を備えてもよい。
【００４３】
次に、情報配信システム１００の動作例について説明する。  
図２は、情報配信システム１００の動作例を示すシーケンス図である。
【００４４】
ここでは、情報配信システム１００は、商品を販売する販売店に設置されているものとする。情報配信システム１００の棚札装置１０は、商品の値段などを表示するため、商品の近傍に設置されている。
【００４５】
また、販売店を利用する利用者は、上記の機能を備えた携帯端末３０を所持するものとする。利用者の操作によってアプリケーションなどを立ち上げ、携帯端末３０は、上記の機能を実現可能に設定される。利用者は、クーポン情報を取得するため、携帯端末３０の近距離通信部３５と棚札装置１０の近距離通信部１３とが通信可能な距離に携帯端末３０を棚札装置１０にかざすものとする。
【００４６】
まず、携帯端末３０のＣＰＵ３１は、近距離通信部３５を通じて、棚札コードを取得する命令を棚札装置１０へ送信する（ＡＣＴ１１）。たとえば、ＣＰＵ３１は、近距離通信部３５を通じてポーリング信号を送信する。棚札装置１０の棚札コントローラ１１は、近距離通信部１３を通じてポーリング信号を受信する。ポーリング信号を受信すると、棚札コントローラ１１は、近距離通信部１３を通じて、レスポンスを携帯端末３０へ送信する。ＣＰＵ３１は、近距離通信部３５を通じてポーリング信号に対するレスポンスを受信する。棚札装置１０からポーリング信号に対するレスポンスを受信すると、ＣＰＵ３１は、近距離通信部３５を通じて、棚札装置１０へ棚札コードを取得する命令を送信する。
【００４７】
ＣＰＵ３１が近距離通信部３５を通じて棚札コードを取得する命令を棚札装置１０へ送信すると、棚札装置１０の棚札コントローラ１１は、近距離通信部１３を通じて、携帯端末３０から棚札コードを取得する命令を受信する（ＡＣＴ２１）。棚札コードを取得する命令を受信すると、棚札コントローラ１１は、メモリ１４内の記憶領域１４ａから棚札コードを取得する（ＡＣＴ２２）。
【００４８】
棚札コードを取得すると、棚札コントローラ１１は、近距離通信部１３を通じて、携帯端末３０へ棚札コードを送信する（ＡＣＴ２３）。たとえば、棚札コントローラ１１は、棚札コードをデータ部に格納するレスポンスを生成し、生成されたレスポンスを携帯端末３０へ送信する。
【００４９】
棚札コントローラ１１が近距離通信部１３を通じて棚札コードを携帯端末３０へ送信すると、携帯端末３０のＣＰＵ３１は、近距離通信部１３を通じて棚札コードを受信する（ＡＣＴ１２）。棚札コードを受信すると、棚札コントローラ１１は、通信デバイス３８を通じて、受信された棚札コードを情報配信装置４０へ送信する（ＡＣＴ１３）。たとえば、棚札コントローラ１１は、棚札コードをデータ部に備えるリクエストを生成する。ＣＰＵ３１は、生成されたリクエストに情報配信装置４０を宛先として設定して、当該リクエストを無線アクセスポイント２１へ送信する。
【００５０】
ＣＰＵ３１が通信デバイス３８を通じて棚札コードを情報配信装置４０へ送信すると、情報配信装置４０のＣＰＵ４１は、通信デバイス４５を通じて棚札コードを受信する（ＡＣＴ３１）。
【００５１】
棚札コードを受信すると、ＣＰＵ４１は、棚札コードに対応する商品コードを取得する（ＡＣＴ３２）。即ち、ＣＰＵ４１は、不揮発性メモリ４４内の記憶領域４４ａが格納する商品コードテーブルから、棚札コードに対応する商品コードを検索する。
【００５２】
棚札コードに対応する商品コードを取得すると、ＣＰＵ４１は、商品コードに対応するクーポン情報を取得する（ＡＣＴ３３）。即ち、ＣＰＵ４１は、不揮発性メモリ４４内の記憶領域４４ｂが格納するクーポンテーブルから、商品コードに対応するクーポン情報を検索する。
【００５３】
クーポン情報を取得すると、ＣＰＵ４１は、通信デバイス４５を通じて、クーポン情報を携帯端末３０へ送信する（ＡＣＴ３４）。たとえば、ＣＰＵ４１は、クーポン情報をデータ部に含むレスポンスを生成する。ＣＰＵ４１は、生成されたレスポンスに携帯端末３０を宛先として設定し、当該レスポンスをルータ２０へ送信する。
【００５４】
ＣＰＵ４１がクーポン情報を携帯端末３０へ送信すると、携帯端末３０のＣＰＵ３１は、通信デバイス３８を通じてクーポン情報を受信する（ＡＣＴ１４）。
【００５５】
クーポン情報を受信すると、ＣＰＵ３１は、クーポン情報を表示部３７に表示する（ＡＣＴ１５）。たとえば、ＣＰＵ３１は、クーポン情報に基づいて、クーポン情報を示すクーポン画面を生成し、生成されたクーポン画面を表示部３７に表示する。
【００５６】
なお、クーポン画面は、情報配信装置４０のＣＰＵ４１によって生成され、クーポン情報として情報配信装置４０から携帯端末３０へ送信されてもよい。この場合、携帯端末３０のＣＰＵ３１は、受信されたクーポン画面を表示部３７に表示する。
【００５７】
ＣＰＵ３１がクーポン情報を表示部３７に表示すると、情報配信システム１００は、動作を終了する。
【００５８】
なお、携帯端末３０と情報配信装置４０とは、インターネットなどの外部ネットワークを通じてデータを送受信してもよい。この場合、携帯端末３０のＣＰＵ３１は、外部ネットワークを通じて、棚札コードを情報配信装置４０へ送信する。また、情報配信装置４０のＣＰＵ４１は、外部ネットワークを通じて、クーポン情報を携帯端末３０へ送信する。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０…棚札装置、１１…棚札コントローラ、１３…近距離通信部、１４…メモリ、１４ａ…記憶領域、２０…ルータ、２１…無線アクセスポイント、３０…携帯端末、３１…ＣＰＵ、３５…近距離通信部、３７…表示部、３８…通信デバイス、４０…情報配信装置、４１…ＣＰＵ、４４…不揮発性メモリ、４４ａ及び４４ｂ…記憶領域、１００…情報配信システム。
【図１】
2016038730.tif 000003
【図２】
2016038730.tif 000004